(57)【要約】【課題】ＩＤが記録されたカードと、カードのカード情報を管理するカード管理サーバと、カードからＩＤを読み取り、ネットワークを介してカード管理サーバと通信を行い、前記カード情報を更新する端末とを有するカード管理システムに関し、個人情報などを登録することなく、複数のカードを一つのカードで管理できるカード管理システム、カード管理サーバ、カード管理方法、プログラムを提供することを目的とする。【解決手段】  本発明は、ＩＤが記録されたカードと、カードの残高を含むカード情報を管理するカード管理サーバと、カードからＩＤを読み取り、ネットワークを介してカード管理サーバと通信を行い、カード情報を更新可能とされた端末とを有するカード管理システムであって、カード管理サーバは複数のカードのカード情報を相互に対応付けて登録することにより、複数のカードの残高を一括して更新可能とされていることを特徴とする。【選択図】図１
2007304806.tif 000002
【特許請求の範囲】
【請求項１】
ＩＤが記録されたカードと、該カードの残高を含むカード情報を管理するカード管理サーバと、ネットワークを介して前記カード管理サーバと通信を行い、前記カードのＩＤに基づいて前記カード情報を更新可能とされた端末とを有するカード管理システムであって、
前記カード管理サーバは、複数のカードの前記カード情報を相互に対応付けて登録することにより、前記複数のカードの残高を一つのカードの残高として扱うことが可能とされていることを特徴とするカード管理システム。
【請求項２】
前記カード管理サーバは、相互に対応付けて管理されている複数のカードを主カードとそれ以外のカードとを区別して管理しており、
前記主カードによってのみ前記残高を管理可能に制御することを特徴とする請求項１記載のカード管理システム。
【請求項３】
前記カード管理サーバは、前記カードからＩＤが供給されたときに予め登録された前記主カードを利用するための認証情報を前記端末に提供し、
前記端末により前記認証情報が確認された旨の通知が送られたときに、前記カードの使用を許可することを特徴とする請求項２記載のカード管理システム。
【請求項４】
前記カード管理サーバは、前記カードからＩＤが供給されたときに予め登録された利用するカードの利用者を確認するための本人確認情報を前記端末に提供し、
前記端末により前記本人確認された旨の通知が送られたときに、前記カードの使用を許可することを特徴とする請求項１乃至３のいずれか一項記載のカード管理システム。
【請求項５】
ネットワークを介して端末と通信可能とされており、前記端末から供給されるカードに付与されたＩＤに基づいて前記カードの残高を含むカード情報を管理するカード管理サーバであって、
前記カード情報が登録されているデータベースと、
前記複数のカードの前記カード情報を相互に対応付けて前記データベースに登録することにより、前記複数のカードの残高を一つのカードの残高として扱うことが可能とされた処理手段とを有することを特徴とするカード管理サーバ。
【請求項６】
端末からカード管理サーバにネットワークを介してカードに付与されたＩＤを供給し、前記カード管理サーバにより前記ＩＤに基づいて前記カード情報を更新するカード管理方法であって、
複数のカードの前記カード情報を相互に対応付けて登録することにより、前記複数のカードの残高を一つのカードの残高として扱うことが可能としたことを特徴とするカード管理方法。
【請求項７】
コンピュータに、
カードに付与されたＩＤに基づいて前記カードの残高を含むカード情報が登録されたデータベースを検索し、前記カードのカード情報を取得する検索手順と、
前記カード情報に基づいて複数のカードの残高を一つのカードの残高として扱う更新手順とを実行させるコンピュータ読み取り可能なプログラム。
【発明の詳細な説明】
【技術分野】
【０００１】
本発明はカード管理システム、カード管理サーバ、カード管理方法、プログラムに係り、特に、ＩＤが記録されたカードと、カードのカード情報を管理するカード管理サーバと、カードからＩＤを読み取り、ネットワークを介してカード管理サーバと通信を行い、前記カード情報を更新する端末とを有するカード管理システム、カード管理サーバ、カード管理方法、プログラムに関する。
【背景技術】
【０００２】
近年、ギフト券を磁気カード化して、プリペイドカードのように使用できるようにしたカードが市場に出回っている。
【０００３】
この様なカードは、発行に際し資格審査が必要ないこと、また、小額利用に適していることから、クレジットカードやバンクカードにはない手軽さで利用が可能であり、子供や学生でも手軽に利用できる。このため、家族で利用できるようにして、子供が利用できる金額を親が入金、管理できると便利である。
【０００４】
なお、従来、複数の異なる種類のカードを所定のサービス範囲で相互に利用可能としたシステムが提案されている（特許文献１参照）。
【０００５】
また、残高、個人情報などが記録される銀行系のＩＣカードなどの分野においては、異なる用途の決済手段を相互に利用可能とするシステムが提案されていた（特許文献２、３参照）。
【特許文献１】特開平１１−８６０９８号公報
【特許文献２】特開２０００−２９９６５号公報
【特許文献３】特開２００４−２０６２４８号公報
【発明の開示】
【発明が解決しようとする課題】
【０００６】
しかしながら、従来、この種のカードでは、その残高がカード毎に入金、管理されていたため、親は子供のカードの残高を管理することはできなかった。
【０００７】
本発明は上記の点に鑑みてなされたもので、複数のカードの残高を一つのカードの残高として扱うことができるようにすることによって親のカードにより子供のカードの残高を入金、管理できるようにしたカード管理システム、カード管理サーバ、カード管理方法、プログラムを提供することを目的とする。
【課題を解決するための手段】
【０００８】
本発明は、ＩＤが記録されたカードと、カードの残高を含むカード情報を管理するカード管理サーバと、カードからＩＤを読み取り、ネットワークを介してカード管理サーバと通信を行い、カード情報を更新可能とされた端末とを有するカード管理システムであって、カード管理サーバは複数のカードのカード情報を相互に対応付けて登録することにより、複数のカードの残高を一括して更新可能とされていることを特徴とする。
【０００９】
カード管理サーバは、相互に対応付けて管理されている複数のカードを主カードとそれ以外のカードとを区別して管理しており、主カードによってのみ残高を管理可能に制御することを特徴とする。また、カード管理サーバは、主カードによってのみ入金が可能に制御することを特徴とする。
【００１０】
また、カード管理サーバはカードからＩＤが供給されたときに予め登録された主カードを利用するための認証情報を端末に提供し、端末により認証情報が確認された旨の通知が送られたときに、カードの使用を許可することを特徴とする。
【００１１】
さらに、カード管理サーバはカードからＩＤが供給されたときに予め登録された本人確認情報を前記端末に提供し、端末により本人確認された旨の通知が送られたときに、カードの使用を許可することを特徴とする。
【００１２】
また、本発明は、ネットワークを介して端末と通信可能とされており、端末によりカードから読み取られたＩＤに基づいてカードの残高を含むカード情報を管理するカード管理サーバであって、カード情報が登録されているデータベースと、複数のカードのカード情報を相互に対応付けてデータベースに登録することにより、複数のカードの残高を一括して更新可能とされた処理手段とを有することを特徴とする。
【００１３】
さらに、本発明は、端末からカード管理サーバにネットワークを介してカードに付与されたＩＤを供給し、カード管理サーバにより前記ＩＤに基づいてカード情報を更新するカード管理方法であって、複数のカードのカード情報を相互に対応付けて登録することにより、複数のカードの残高を一括して管理可能としたことを特徴とする。
【００１４】
また、本発明のカード管理プログラムは、コンピュータに、カードに付与されたＩＤに基づいてカードの残高を含むカード情報が登録されたデータベースを検索し、カードのカード情報を取得する検索手順と、カード情報に基づいて複数のカードの残高を一括して更新する更新手順とを実行させることを特徴とする。
【発明の効果】
【００１５】
本発明によれば、カード管理サーバが所定のカードのカード情報と他のカードのカード情報とをリンクさせて管理可能とされており、所定のカードにより所定のカードにリンクされた他のカードのカード情報を更新可能とすることにより、所定のカードのカード情報から他のカードのカード情報を参照することができ、これによって所定のカードによって他のカードを利用することが可能となり、複数のカードの残高を一枚のカードの残高として扱うことができる。これによってカードの利便性を向上させることができる。
【発明を実施するための最良の形態】
【００１６】
図１は本発明の一実施例のシステム構成図を示す。
【００１７】
本実施例のカード管理システム１００は、主に、カード１１１、カードリーダライタ１１２、店舗端末１１３、ネットワーク１１４、管理サーバ１１５、本部端末１１６から構成されている。
【００１８】
カード１１１は、例えば、磁気カードであり、少なくともカード１１１を識別するためのＩＤが磁気的に記録されている。カード１１１に記録される情報は、ＩＤのみに限定されるものではないが、本実施例ではＩＤのみが記録されているものとする。カードリーダライタ１１２は、少なくともカード１１１に磁気的に記録されたＩＤを読み取り可能とされている。
【００１９】
カードリーダライタ１１２は、カード１１１から読み取ったＩＤを店舗端末１１３に供給する。店舗端末１１３は、ＰＯＳ端末などから構成されており、店舗に設置され、カードリーダライタ１１２から受け取ったカード１１１のＩＤに基づいて決済などの要求を生成し、ネットワーク１１４を介して管理サーバ１１５に供給する。
【００２０】
管理サーバ１１５は、処理装置１２１、データベース１２２から構成されている。なお、本実施例では、処理装置１２１及びデータベース１２２により管理サーバ１１５を構成としているが、処理装置１２１を管理サーバとし、処理装置１２１がネットワーク１１４を介してデータベース１２２にアクセスするような構成としてもよいことは言うまでもない。
【００２１】
処理装置１２１は、コンピュータシステムなどから構成されており、管理プログラムがインストールされている。処理装置１２１は、管理プログラムに基づいてデータを処理しており、店舗端末１１３からの要求に基づいてデータベース１２２を検索し、所望のカード情報を読み出し、処理を行うとともに、その処理結果によりデータベース１２２を更新する。処理装置１２１にインストールされる管理プログラムは、複数のカードのカード情報を相互に対応付けて登録することにより、複数のカードの残高を一括して更新可能とされている。
【００２２】
データベース１２２は、ハードディスク装置などから構成されており、主に、カード情報データベース１３１、及び、親子情報データベース１３２から構成されている。
【００２３】
図２はデータベース１２２のデータ構成図を示す。
【００２４】
カード情報データベース１３１は、カード識別情報（ＩＤ）１４１、親子識別情報１４２、残高１４３、カード利用条件１４４、本人確認情報１４５、認証情報１４６、認証設定情報１４７を含む構成とされている。
【００２５】
カードＩＤ１４１は、個別のカードを識別するための識別番号である。親子識別情報１４２は、そのカードが親カードか、子カードかを識別するための識別情報である。
【００２６】
残高１４３は、個別のカードで利用可能な残高である。
【００２７】
カード利用条件１４４は、カードの利用条件を示す情報であり、例えば、親カード利用限度額１５１、親カード利用限度回数１５２、親カード利用回数１５３などの情報から構成されている。親カード利用限度額１５１には、子カードによる親カードの残高の利用額の上限額が予め登録される。親カード利用限度回数１５２には、子カードによる親カードの利用回数の上限が予め登録される。親カード利用回数１５３には、子カードによる親カードの利用回数が記録される。
【００２８】
本人確認情報１４５は、カード利用時に利用者本人の確認を行うための情報であり、本人確認を実施しない場合には本人確認情報は設定されていない。本人確認情報は、例えば、利用者本人の所持する免許証番号、利用者本人の生年月日など利用者本人を識別できる情報である。
【００２９】
認証情報１４６は、親カード利用時に認証を行う際の認証情報であり、親カードに設定されている。また、認証設定情報１４７は、カード利用時に認証を行うか否かを判定するための情報である。認証設定情報１４７が有効の場合には、親カードに設定された認証情報により認証が行われる。なお、認証情報１４６は、親カードのカード情報として設定されている必要はなく、子カードの認証情報１４６に親カードの認証情報を設定するようにしてもよい。このとき、認証情報１４６としては、例えば、親の生年月日など親を識別できる情報である。
【００３０】
処理装置１２１は、カード利用条件１４４に登録された情報に基づいて子カードの利用に制限をかけることが可能な構成とされている。
【００３１】
親子情報データベース１３２は、親子関係にあるカードのカードＩＤ１６１、及び、親子識別情報１６２を含む構成とされている。
【００３２】
カードＩＤ１６１には、カードＩＤが登録される。親子識別情報１６２にはそのカードＩＤのカードが親カードであるか子カードであるかを識別する情報が登録される。
【００３３】
次に、カード管理システム１００の概略動作を説明する。
【００３４】
図３は本発明の一実施例の処理フローチャートを示す。
【００３５】
まず、親子関係情報を親子情報データベース１３２に登録する処理について説明する。
【００３６】
親子関係情報の登録は、例えば、本部端末１１６によって行われる。
【００３７】
まず、ユーザなどのからの依頼によって親子関係を示す情報が本部端末１１６に入力される。親子関係を示す入力情報は、例えば、親カードとなるカードのカードＩＤ、その子カードとなるカードのカードＩＤなどである。
【００３８】
本部端末１１６は親子関係を示す情報が入力されると、ステップＳ１−１で入力情報を管理サーバ１１５に送信する。
【００３９】
管理サーバ１１５は、ステップＳ１−２で入力情報を受信すると、入力情報に基づいて親子情報データベース１３２を作成する。親子情報データベース１３２の作成では、まず、入力情報に含まれる親カードのカードＩＤを親子情報データベース１３２に登録し、その親子識別情報１６２を「親」に設定する。また、入力情報に含まれる子カードのカードＩＤを親子情報データベース１３２に登録し、その親子識別情報１６２を「子」に設定する。
【００４０】
管理サーバ１１５は、親子情報データベース１３２への登録が完了すると、ステップＳ１−４で親子情報完了通知を本部端末１１６に送信する。本部端末１１６は、ステップＳ１−５で親子情報登録完了通知を受信すると、親子情報登録が完了した旨がディスプレイに表示される。本部端末１１６のディスプレイに親子情報登録が完了した旨が表示されると、その旨、ユーザに通知する。
【００４１】
次に、親子情報登録が完了したカードを利用する場合の動作について説明する。
【００４２】
カードの利用は、店舗端末１１３によって行われる。
【００４３】
利用カード１１１がカードリーダライタ１１２に読み込まれると、カードリーダライタ１１２は、利用カード１１１に記録されたカードＩＤを読み取り、店舗端末１１３に通知する。店舗端末１１３は、ステップＳ２−１で利用カード１１１のカードＩＤと利用要求額から利用要求依頼を作成し、管理サーバ１１５に送信する。
【００４４】
管理サーバ１１５は、ステップＳ２−２で利用要求依頼を受信すると、ステップＳ２−３で利用要求依頼に含まれるカードＩＤをキーとしてカード情報データベース１３１を検索し、本人確認情報１４５が設定されているか否かを判定し、本人確認情報が設定されている場合には、店舗端末１１３に本人確認情報を通知する。
【００４５】
店舗端末１１３は、ステップＳ２−４で管理サーバ１１５から本人確認情報が通知されると、ステップＳ２−４で店舗端末１１３のディスプレイに本人確認情報を表示する。
【００４６】
店員は、ユーザに本人確認情報を問い合わせ、ユーザの答えと、店舗端末１１３のディスプレイに表示された本人確認情報とを比較し、ユーザの答えが店舗端末１１３に表示された本人確認情報と一致していれば、本人を確認できたとして、店舗端末１１３により承認操作を行う。
【００４７】
店舗端末１１３は店員により承認操作が行われると、ステップＳ２−５で管理サーバ１１５に承認通知を送信する。管理サーバ１１５は店舗端末１１３からの承認通知を受信すると、ステップＳ２−６でカード情報データベース１３１に登録された利用条件に基づいて利用条件チェック処理を行う。
【００４８】
管理サーバ１１５は、利用条件チェック処理により利用条件を満足していれば、ステップＳ２−７でカード情報を利用額、親カードの利用状況（利用額、回数）などに基づいて
更新する。管理サーバ１１５は、カード情報が利用状況に基づいて更新されると、ステップＳ２−８で利用報告通知を店舗端末１１３に送信する。利用報告通知には、カードＩＤ、利用額、残高などが含まれる。
【００４９】
店舗端末１１３は、ステップＳ２−９で管理サーバ１１５から利用報告通知を受信すると、その結果を店舗端末１１３のディスプレイに表示するとともに、レシートとして印刷し、出力する。
【００５０】
次に管理サーバ１１５の処理について詳細に説明する。
【００５１】
図４は管理サーバ１１５によるカード利用時の処理フローチャートを示す。
【００５２】
管理サーバ１１５は、ステップＳ３−１で店舗端末１１３から利用要求依頼を受信すると、ステップＳ３−２で利用要求依頼に含まれるカードＩＤによりカード情報データベース１３１を検索し、対応するカード情報を取得する。
【００５３】
管理サーバ１１５は、ステップＳ３−３で対応するカード情報の本人確認情報１４５を参照し、本人確認情報１４５が設定されているか否かを判定し、本人確認情報１４５が設定されている場合には、店舗端末１１３に本人確認情報を通知する。
【００５４】
管理サーバ１１５は店舗端末１１３からの本人確認を承認する旨の通知を受信すると、ステップＳ３−４でカード情報に含まれる残高と利用要求額とを比較し、残高が利用要求額より大きければ、ステップＳ３−５で残高から利用要求額を減算し、ステップＳ３−６で減算結果を残高としてカード情報データベース１３１を更新する。
【００５５】
また、管理サーバ１１５は、ステップＳ３−４でカード情報に含まれる残高と利用要求額とを比較した結果、残高が利用要求額より小さければ、ステップＳ３−７で利用要求額と残高との差を不足額に設定する。
【００５６】
次に管理サーバ１１５は、ステップＳ３−８でカード情報の親子識別情報に基づいて利用カードが親カードか子カードかを判定する。管理サーバ１１５は、ステップＳ３−８で利用カードが子カードである場合には、ステップＳ３−９で親カード情報検索処理を実行する。
【００５７】
ここで、親カード情報検索処理について図面を用いて説明する。
【００５８】
図５は親カード情報検索処理の処理フローチャートを示す。
【００５９】
管理サーバ１１５は、ステップＳ４−１で子カードのカードＩＤをキーとして、親子情報データベース１３２を検索し、ステップＳ４−２で対応する親カードのカードＩＤを取得する。
【００６０】
管理サーバ１１５は、ステップＳ４−３で、取得した親カードＩＤをキーとしてカード情報データベース１３１を検索して、ステップＳ４−４で親カードのカード情報を取得する。
【００６１】
以上により、子カードのカード情報及びその親カードのカード情報が取得される。以上により親カード情報検索処理を終了する。
【００６２】
図４に戻って説明を続ける。
【００６３】
管理サーバ１１５は、ステップＳ３−９で親カード情報を取得すると、ステップＳ３−１０で親カードを利用するための認証処理を実行する。
【００６４】
ここで、認証処理について図面を用いて説明する。
【００６５】
図６は認証処理の処理フローチャートを示す。
【００６６】
管理サーバ１１５は、ステップＳ５−１で利用カードのカード情報に、認証設定が有効とされていれば、ステップＳ５−２で利用カードの親カードのカード情報に登録された認証情報を読み出し、店舗端末１１３に送信し、承認通知を待機する。管理サーバ１１５は、ステップＳ５−３で店舗端末１１３から承認通知を受信すると、カードの利用が承認されたと判断して、ステップＳ５−４でカードを利用許可する。
【００６７】
また、管理サーバ１１５は、ステップＳ５−５で店舗端末１１３から利用中止通知を受信すると、カードの利用が承認されなかったと判断して、ステップＳ５−６でカードの利用を中止する。
【００６８】
なお、管理サーバ１１５は、ステップＳ５−１で認証設定が無効の場合には認証を行うことなく、ステップＳ５−４でカードの利用を許可する。
【００６９】
以上により認証処理が終了する。
【００７０】
図４に戻って説明を続ける。
【００７１】
管理サーバ１１５はステップＳ３−１０での認証処理の結果、カード利用が許可されると、ステップＳ３−１１で利用条件チェック処理を実行する。
【００７２】
ここで、利用条件チェック処理について図面を用いて説明する。
【００７３】
図７は利用条件チェック処理の処理フローチャートを示す。
【００７４】
管理サーバ１１５は、ステップＳ６−１でカード情報に利用条件が設定されている場合には、カードの利用に条件が存在すると判断して、ステップＳ６−２でカードの利用状況がカード利用条件１４４に設定されている条件の範囲内か否かを判定する。例えば、金額が１月のカード利用額が５，０００円に達していないか否か、また、１月のカード利用回数がカード利用限度回数に達してないか否かを判定する。
【００７５】
管理サーバ１１５は、ステップＳ６−３で利用条件を満足している場合には、ステップＳ６−４でカードの利用を許可する。また、管理サーバ１１５は、ステップＳ６−３で利用条件を満足していなければ、ステップＳ６−５でカードの利用を中止する。
【００７６】
以上により利用条件チェック処理が終了する。
【００７７】
図４に戻って説明を続ける。
【００７８】
管理サーバ１１５は、ステップＳ３−１１での利用条件チェック処理の結果、カードの利用が許可されると、ステップＳ３−１２で親カードのカード情報の残高と不足額とを比較し、残高が不足額以上あれば、ステップＳ３−１３でカード情報データベース更新処理を実行する。
【００７９】
ここで、カード情報データベース更新処理について図面を用いて説明する。
【００８０】
図８はカード情報データベース更新処理の処理フローチャートを示す。
【００８１】
管理サーバ１１５は、まず、ステップＳ７−１で子カードのカード情報に含まれる残高をゼロにし、ステップＳ７−２で子カードのカード情報を更新する。
【００８２】
次に、管理サーバ１１５は、ステップＳ７−３で親カードのカード情報に含まれる残高を不足額で減算し、ステップＳ７−４で親カードのカード情報を更新する。
【００８３】
以上により子カード及びそれに対応する親カードのカード情報の残高から利用額に相当する額が減算され、カード情報データベース更新処理が終了する。
【００８４】
図４に戻って説明を続ける。
【００８５】
管理サーバ１１５は、カード情報データベース１３１が利用要求額に応じて更新されると、ステップＳ３−１４で店舗端末１１３にメッセージを送信する。
【００８６】
また、管理サーバ１１５は、ステップＳ３−３の本人確認処理の結果がカードに利用が承認されなかった場合、ステップＳ３−８で利用カードが親カードであった場合、ステップＳ３−１０の認証処理の結果、カードの利用が承認されなかった場合、ステップＳ３−１１で利用条件を満足できなかった場合、ステップＳ３−１２で親カードも残高不足であると判定された場合には、ステップＳ３−１５でエラー通知処理を行う。
【００８７】
管理サーバ１１５は、エラー通知処理の結果、得られるエラーメッセージをステップＳ３−１４で店舗端末１１３に送信する。
【００８８】
なお、送信されるメッセージは、更新結果、エラー通知処理などで作成されるメッセージ識別情報をキーとして、データベース１２２に設けられたメッセージファイル１３３を検索することによりその内容が選択されて、店舗端末１１３に送信される。
【００８９】
店舗端末では、残高不足などのメッセージが表示された場合、店員などがその旨ユーザに伝えて、ユーザに現金などによる精算、あるいは、購入商品の見直しを依頼する。
【００９０】
次に子カードによるカード利用時の動作の具体例について説明する。
【００９１】
図９は本発明の一実施例の動作説明図を示す。
【００９２】
図２に示すカードＩＤ「００２０１」、残高「３,０００円」、親カード利用限度額「５,０００円」、親カード利用限度回数「５回」、親カード利用回数「３回」の子カードＢを利用して「４，０００円」の利用要求依頼があった場合、子カードＢの残高「３，０００円」では、不足額「１，０００円」が発生する。
【００９３】
このため、管理サーバ１１５では、図２に示すように子カードＢのカードＩＤ「００２０１」をキーとして親子情報データベース１３２を検索して、子カードＢの親カードＡのカードＩＤ「００１０１」を取得する。
【００９４】
次に、取得した親カードＡのカードＩＤ「００１０１」をキーとしてカード情報データベース１３１を検索して、親カードＡのカード情報を取得する。
【００９５】
管理サーバ１１５は、まず、子カードＢの残高「３，０００円」を「０円」にし、さらに、親カードＡのカード情報の残高「１０，０００円」から不足額「１，０００円」を差し引く。これによって、子カードＢの残高が「０円」、親カードＡの残高が「９，０００円」となる。これによって、カード情報データベース１３１は、図２に示すように子カードＢの残高が「０円」、親カードＡの残高が「９，０００円」に更新されるとともに、子カードＢのカード利用条件１４４の親カード利用回数１５３が「３回」から「４回」に更新される。
【００９６】
以上本実施例によれば、複数のカードに親子情報を設定しておくことによって、親カードによって子カードの利用を管理できる。これによって、子カード所持者の無使いなどを抑制する。
【００９７】
また、本実施例では、カードには、カードを識別するためのカードＩＤが記憶されているだけであり、個人情報などは記憶されていないため、カードを紛失してしまった場合でも個人情報の流出などを防げる。また、本実施例は、カードリーダライタ１１２も安価で、また、ＰＯＳなどに一般に搭載されている周辺装置を用いてシステムを実現できるので、導入が容易であり、急速に普及することが見込まれる。
【００９８】
なお、本実施例では、カードとして磁気カードを例に説明したが、適用できるカードは磁気カードに限定されるものではなく、ＩＣカードなど他のカードであってもよい。
【００９９】
なお、本発明は上記実施例に限定されるものではなく、本発明の要旨を逸脱しない範囲で種々の変形例が考えられることは言うまでもない。
【図面の簡単な説明】
【０１００】
【図１】本発明の一実施例のシステム構成図である。
【図２】データベース１２２のデータ構成図である。
【図３】本発明の一実施例の処理フローチャートである。
【図４】管理サーバ１１５によるカード利用時の処理フローチャートである。
【図５】親カード情報検索処理の処理フローチャートである。
【図６】認証処理の処理フローチャートである。
【図７】利用条件チェック処理の処理フローチャートである。
【図８】カード情報ＤＢ更新処理の処理フローチャートである。
【図９】本発明の一実施例の動作説明図である。
【符号の説明】
【０１０１】
１００  カード管理システム
１１１  カード、１１２  カードリーダライタ、１１３  店舗端末
１１４  ネットワーク、１１５  管理サーバ、１１６  本部端末
１２１  処理装置、１２２  データベース
１３１  カード情報テーブル、１３２  親子情報データベース
１４１  カードＩＤ、１４２  親子識別情報、１４３  残高、１４４  カード利用条件
１４５  本人確認情報、１４６  認証情報、１４７  認証設定情報
１５１  親カード利用限度額、１５２  親カード利用限度回数
１５３  親カード利用回数
１６１  カードＩＤ、１６２  親子識別情報
【図１】
2007304806.tif 000003
【図２】
2007304806.tif 000004
【図３】
2007304806.tif 000005
【図４】
2007304806.tif 000006
【図５】
2007304806.tif 000007
【図６】
2007304806.tif 000008
【図７】
2007304806.tif 000009
【図８】
2007304806.tif 000010
【図９】
2007304806.tif 000011